(57)【要約】【課題】  キャスター付きキャリアに対してバッグを簡単に着脱でき、バッグをキャスター付きキャリアからはずした後は、キャスター付きキャリアを容易にポケットに収容可能で搬送容易なポケット付きバッグの提供。【解決手段】バッグ本体２と、バック本体の側面２Ｂに設けられたポケット１０とを備え、ポケットの上部は常時開いているか開閉可能であり、底部は開閉可能に設けられている。底部と上部の開口を通じてキャスター付きキャリア２０の台座部から延びる棒状部２２が挿通され、バッグがキャリア２０にセットされる。バッグ１をキャスタ２０からはずしたときは、ポケット２０内に折り畳んだキャスタ２０が収容可能である。【選択図】  図２
2008142232.tif 000002
【特許請求の範囲】
【請求項１】
バッグ本体と、
該バック本体の側面に設けられたポケットとを備え、該ポケットの上部は常時開いているか開閉可能であり該ポケットの底部は開閉可能に設けられていることを特徴とするポケット付きバッグ。
【発明の詳細な説明】
【技術分野】
【０００１】
本発明はポケット付きバッグに関し、特に市販のキャスター付きキャリアに搭載可能なポケット付きバックに関する。
【背景技術】
【０００２】
従来、ポケット付きキャリーバッグが提案されている。このバッグは、バッグ本体の外面底部にキャスター付きキャリアが展開及び折り畳み可能に取付けられている。バッグ本体の一側面には、バッグ収納ポケットが取付けられ、バッグ収納ポケットは、襠部と前面部とからなり、前面部はバッグ収納ポケットが全開状態に開閉可能となるように襠部と接続されている。使用時には、バッグ収納ポケット内に小物などの荷物が収納可能にされ、バック本体の手提げひもを引っ張りながらキャスター付きキャリアを転動させて牽引する。また荷物を詰めない不使用時には、バッグ収納ポケットを全開状態にして襠部を折り返し、バッグ本体を折り畳んでバッグ収納ポケットにキャスター付きキャリアとともに収納する。かかる構成は特許文献１に記載されている。
【特許文献１】特開２００２−５１８１８号公報
【発明の開示】
【発明が解決しようとする課題】
【０００３】
しかし上述した従来の構成では、バッグ本体とキャスター付きキャリアとは分離できず、バック本体に例えば剣道具、剣道衣などの荷物を収容している場合に、土等で汚れたキャスター付きキャリアを引きずりながら道場に入場するのが礼に失し、そのためバッグ全体を持ち上げて運搬する必要があった。またキャスター付きバッグの場合、手で持つと不安定になったり、内容物の方向が変わってしまう物が多い。
【０００４】
市販のキャスター付きキャリアを購入し、紐を用いてバッグをキャスター付きキャリアに固定することも従来行われていたが、バッグをキャスター付きキャリアに取付けて固定するのに労力を要するし、またバッグをキャスター付きキャリアから分離した後は、キャスター付きキャリアとバックの両方を持って運ばなければならなかった。
【０００５】
そこで本発明は、キャスター付きキャリアに対してバッグを簡単に着脱することができ、バッグをキャスター付きキャリアからはずした後は、キャスター付きキャリアを容易にポケットに収容可能で搬送容易なポケット付きバッグを提供することを目的とする。
【課題を解決するための手段】
【０００６】
係る目的を達成するため、本発明は、バッグ本体と、バック本体の側面に設けられたポケットとを備え、該ポケットの上部は常時開いているか開閉可能であり該ポケットの底部は開閉可能に設けられていることを特徴とするポケット付きバッグを提供している。
【発明の効果】
【０００７】
請求項１記載のポケット付きバッグによれば、ポケットの底部を開けば、ポケット底部と上部の開口を通じて台座から延びるキャスター付きキャリアの互いに離間する棒状部を簡単に挿通させることができ、バッグを簡単にキャスター付きキャリアにセットすることができる。その状態では、キャスター付きキャリアの台座にバック本体の底部が載置される。またポケットの底部を開くことができるので、ポケット内にたまったゴミなどを容易に排出することができる。
【０００８】
また、バッグをキャスター付きキャリアからはずした場合には、ポケットの底部を閉じるとポケット本来の小物の収容機能を発揮できるばかりか、ポケットの底部を閉じることにより折り畳んだキャスター付きキャリアをポケット内に収容又は支持することができる。その場合はバッグのみを持つか肩に掛ければよく、手でキャスター付きキャリアを別途持つ必要がなくなる。キャスター付きキャリアはバッグ本体内ではなくポケットに収容されるので、バッグ本体内に詰め込まれた荷物がキャスター付きキャリアで汚されることがない。またキャスター付きキャリアを収容するとき、バッグ本体を開封する必要がないので、例えばバック本体に臭気を発するもの、例えば食料品や剣道具や剣道着が収容されている場合に、内容物のにおいをバッグ内に閉じこめておくことができる。
【発明を実施するための最良の形態】
【０００９】
以下、本発明の第１の実施の形態によるポケット付きバッグについて図１から図３を参照して説明する。
【００１０】
図１は本実施の形態によるポケット付きバッグ１を示し、バック本体２とバッグ本体２の側面に取り付けられたポケット１０とを備える。バッグ本体２やポケット１０は例えば帆布等の布により構成される。バック本体２は、図示せぬ手提げ紐や肩掛け紐が取付けられており、上部開口２ａは例えば図示せぬ紐などにより閉じることができ、下部は底部２Ａを備える。
【００１１】
ポケット１０はバック本体２の側面２Ｂに縫いつけられる。ポケット１０の上部は開口部１０ａが形成され、ポケット１０の底部１０Ａ付近には開閉用のフラップ１１がバッグ本体２から延出している。フラップ１１にはマジックテープ（登録商標）１２Ａが縫いつけられていると共に、ポケット１０の前面１０Ｂであってマジックテープ（登録商標）１２Ａが対向する位置にマジックテープ（登録商標）１２Ｂが縫いつけられ、マジックテープ（登録商標）１２Ａと１２Ｂとにより、底部１０Ａを開閉することができる。ポケット１０は、市販のキャスター付きキャリアを折り畳んだ場合にポケット１０内にキャリアを収容しうるサイズである。
【００１２】
図２はポケット付きバッグ１をキャスター付きキャリアにセットした状態を示す。フラップ１１を開けて、バッグ本体２の底部２Ａに沿わせると、ポケット底部１０Ａと上部１０ａの開口を通じてキャスター付きキャリア２０の台座２１から延び互いに離間する棒状部２２を簡単に挿通させることがでる。この状態では、キャスター付きキャリア２０の台座２１にバック本体２の底部２Ａが載置される。このようにバッグ１を簡単にキャスター付きキャリア２０にセットすることができる。またポケットの底部１０Ａを開くことができるので、ポケット１０内にたまったゴミなどを容易に排出することができる。
【００１３】
図３は、キャスター付きキャリア２０を折り畳んでポケット１０に差し込んだ状態を示す。バッグ１をキャスター付きキャリア２０から取り外し、ポケット１０の底部１０Ａを閉じると、ポケット１０本来の小物の収容機能を発揮できる。また、ポケット１０の底部１０Ａを閉じることにより、折り畳んだキャスター付きキャリア２０をポケット１０内に差し込んで収容支持することができる。従って使用者は、手で別途キャスター付きキャリアを持つ必要がなくなる。キャスター付きキャリア２０はバッグ本体２内ではなくポケット１０に収容されるので、バッグ本体２内に詰め込まれた荷物がキャスター付きキャリア２０で汚されることがない。またキャスター付きキャリア２０を収容するとき、バッグ本体２を開封する必要がないので、例えばバック本体２に臭気の発する内容物が収容されている場合に、そのにおいをバッグ内に閉じこめておくことができる。
【００１４】
尚、本発明のポケット付きバッグは、上記した実施の形態に限定されるものではなく、本発明の要旨を逸脱しない範囲内において種々変更を加え得ることは勿論である。例えば、上述した実施の形態ではポケットの上部は常時開口している構成であるが、ポケットの上部も開閉する構造としてもよい。また、マジックテープ（登録商標）１２Ａ、１２Ｂに代えて、ボタンやチャックなどを用いてもよい。
【産業上の利用可能性】
【００１５】
本発明のポケット付きバッグは、旅行用品、スポーツ及びキャンプ用品、剣道具、剣道衣、柔道衣等を収納搬送するための帆布など布製のバッグとしたときに、特に有用である。
【図面の簡単な説明】
【００１６】
【図１】本発明の実施の形態によるポケット付きバッグを示す図であり、（Ａ）は斜視図、（Ｂ）は側面図である。
【図２】本発明の実施の形態によるポケット付きバッグをキャスター付きキャリアにセットした状態を示す図であり、（Ａ）は斜視図、（Ｂ）は側面図である。
【図３】本発明の実施の形態によるポケット付きバッグのポケットにキャスター付きキャリア２０を折り畳んで差し込んだ状態を示す図であり、（Ａ）は斜視図、（Ｂ）は側面図である。
【符号の説明】
【００１７】
１  ポケット付きバッグ、  ２  バッグ本体、  １０  ポケット、１１  フラップ
１２Ａ、１２Ｂ  マジックテープ（登録商標）、２０  キャスター付きキャリア
【図１】
2008142232.tif 000003
【図２】
2008142232.tif 000004
【図３】
2008142232.tif 000005